【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
大腿骨骨折の治療に用いるための骨髄内ロッドであって、
縦軸線と、ヘッドと、ステムとを有する細長いロッド、及び
前記ロッドを通って延びる少なくとも１つの横孔、
を含み、
前記細長いロッドは、横−内側平面に少なくとも２つの湾曲部分、及び前部−後部平面に少なくとも１つの湾曲部分を含む、
ことを特徴とする骨髄内ロッド。
【請求項２】
前記横−内側平面の前記少なくとも２つの湾曲部分は、第１の曲率半径及び第２の曲率半径を含み、該第１の曲率半径は、該第２の曲率半径と異なっている、
ことを特徴とする請求項１に記載の骨髄内ロッド。
【請求項３】
前記前部−後部平面の前記湾曲部分は、第３の曲率半径を含み、該第３の曲率半径は、前記第１の曲率半径と異なっていることを特徴とする請求項２に記載の骨髄内ロッド。
【請求項４】
前記第２の曲率半径は、前記第１の曲率半径よりも大きいことを特徴とする請求項２に記載の骨髄内ロッド。
【請求項５】
前記第３の曲率半径は、前記第１及び第２の曲率半径よりも大きいことを特徴とする請求項３に記載の骨髄内ロッド。
【請求項６】
前記横−内側平面の前記第１の湾曲部分は、実質的に直線の部分によって該横−内側平面の前記第２の湾曲部分から分離されていることを特徴とする請求項３に記載の骨髄内ロッド。
【請求項７】
前記第１の湾曲部分は、約１０ｍｍから約６０ｍｍにわたって延びていることを特徴とする請求項６に記載の骨髄内ロッド。
【請求項８】
前記第２の湾曲部分は、約１０ｍｍから約２２０ｍｍにわたって延びていることを特徴とする請求項７に記載の骨髄内ロッド。
【請求項９】
前記ステムの少なくとも一部分に沿って位置し、該ステムを下方に螺旋状に延びる複数の縦溝を更に含み、
前記横−内側平面の前記湾曲部分の少なくとも１つは、前記前部−後部平面の前記少なくとも１つの湾曲部分に重なっている、
ことを特徴とする請求項６に記載の骨髄内ロッド。
【請求項１０】
前記縦溝の向きは、ロッドの縦軸線に対して約９０度の角回転によって変化することを特徴とする請求項９に記載の骨髄内ロッド。
【請求項１１】
前記第１の湾曲部分は、１００ｍｍと５００ｍｍの間の曲率半径を有し、
前記第２の湾曲部分は、１００ｍｍと１５００ｍｍの間の曲率半径を有し、
前記第３の湾曲部分は、５００ｍｍと２５００ｍｍの間の曲率半径を有する、
ことを特徴とする請求項２に記載の骨髄内ロッド。
【請求項１２】
前記少なくとも１つの横孔は、
ロッドの前記縦軸線に対して第１の角度に配向された実質的に平行な軸線を有する、前記ヘッド部分に位置した１対の孔と、
ロッドの前記縦軸線に対して第２の角度に配向された軸線を有する、前記ヘッド部分に位置した内腔と、
を含む、
ことを特徴とする請求項１に記載の骨髄内ロッド。
【請求項１３】
ロッドの前記縦軸線に対してある一定の角度に配向された軸線を有する、前記ステム部分に位置した細長い孔を更に含むことを特徴とする請求項１２に記載の骨髄内ロッド。
【請求項１４】
前記細長い孔の前記角度は、前記内腔と実質的に同じであることを特徴とする請求項１３に記載の骨髄内ロッド。
【請求項１５】
前記細長い孔の前記角度は、前記内腔の前記角度と異なっていることを特徴とする請求項１３に記載の骨髄内ロッド。
【請求項１６】
ロッドの前記縦軸線に対して約８５度から約９５度に配向されて該縦軸線回りに互いから角度的にオフセットされた軸線を有する、前記ステムの少なくとも一部分に位置した少なくとも２つの遠位孔、
を更に含むことを特徴とする請求項１２に記載の骨髄内ロッド。
【請求項１７】
前記遠位孔は、前記ヘッド孔の軸線から前記縦軸線回りに角度的にオフセットされた第１の遠位孔と、該ヘッド孔の軸線からの該縦軸線回りのより大きな角度的オフセットによって該第１の遠位孔と同じ方向に角度的にオフセットされた第２の遠位孔とを含むことを特徴とする請求項１６に記載の骨髄内ロッド。
【請求項１８】
ロッドの縦軸線に沿って延びる内腔を有することを特徴とする請求項１１に記載の骨髄内ロッド。
【請求項１９】
前記横−内側平面の前記湾曲部分の少なくとも１つは、前記前部−後部平面の前記湾曲部分の少なくとも１つと重なっていることを特徴とする請求項６に記載の骨髄内ロッド。
【請求項２０】
骨折の内部固定のための装置であって、
ヘッド、ステム、及び縦軸線を備え、かつ横−内側平面に位置する少なくとも１つの湾曲セグメント及び前部−後部平面に位置する少なくとも１つの湾曲セグメントを備えた細長いロッドと、
前記ロッドを通って前記縦軸線を横切って延びる少なくとも１つの孔と、
前記ロッドの少なくとも一部分に沿って位置する複数の螺旋状縦溝と、
を含むことを特徴とする装置。
【請求項２１】
前記横−内側平面に位置する第２の湾曲セグメントを更に含むことを特徴とする請求項２０に記載の骨折の内部固定のための装置。
【請求項２２】
前記前部−後部平面に位置する前記少なくとも１つの湾曲セグメントは、前記横−内側平面に位置する前記第２の湾曲セグメントに重なっていることを特徴とする請求項２１に記載の骨折の内部固定のための装置。
【請求項２３】
前記少なくとも１つの湾曲セグメント及び前記横−内側平面に位置する前記第２の湾曲セグメントは、非湾曲セグメントによって分離されていることを特徴とする請求項２２に記載の骨折の内部固定のための装置。
【請求項２４】
前記横−内側平面に位置する前記少なくとも１つの湾曲セグメントは、第１の曲率半径を含み、
前記横−内側平面に位置する前記第２の湾曲セグメントは、第２の曲率半径を含み、
前記第１の曲率半径は、前記第２の曲率半径と異なっている、
ことを特徴とする請求項２３に記載の骨折の内部固定のための装置。
【請求項２５】
前記前部−後部平面に位置する前記少なくとも１つの湾曲セグメントは、第３の曲率半径を含み、該第３の曲率半径は、前記第１の曲率半径と異なっていることを特徴とする請求項２４に記載の骨折の内部固定のための装置。
【請求項２６】
前記第２の曲率半径は、前記第１の曲率半径よりも大きいことを特徴とする請求項２５に記載の骨折の内部固定のための装置。
【請求項２７】
前記第３の曲率半径は、前記第１及び第２の曲率半径よりも大きいことを特徴とする請求項２４に記載の骨折の内部固定のための装置。
【請求項２８】
前記横−内側平面の前記少なくとも１つの湾曲セグメントは、約１０ｍｍから約６０ｍｍにわたって延びていることを特徴とする請求項２４に記載の骨折の内部固定のための装置。
【請求項２９】
前記横−内側平面の前記第２の湾曲セグメントは、約１０ｍｍから約２２０ｍｍにわたって延びていることを特徴とする請求項２８に記載の骨折の内部固定のための装置。
【請求項３０】
前記縦溝の向きは、前記ロッドの前記縦軸線に対して約９０度の角回転によって変化することを特徴とする請求項２３に記載の骨折の内部固定のための装置。
【請求項３１】
前記第１の曲率半径は、１００ｍｍと５００ｍｍの間であり、
前記第２の曲率半径は、１００ｍｍと１５００ｍｍの間であり、
前記第３の曲率半径は、５００ｍｍと２５００ｍｍの間である、
ことを特徴とする請求項２５に記載の骨折の内部固定のための装置。
【請求項３２】
前記少なくとも１つの横方向の孔は、
前記ロッドの前記縦軸線に対して第１の角度に配向された実質的に平行な軸線を有する、前記ヘッドに位置した１対の孔と、
前記ロッドの前記縦軸線に対して第２の角度に配向された軸線を有する、前記ヘッドに位置した内腔と、
を含む、
ことを特徴とする請求項２３に記載の骨折の内部固定のための装置。
【請求項３３】
前記ロッドの前記縦軸線に対してある一定の角度に配向された軸線を有する該ロッドを通る細長い孔を更に含むことを特徴とする請求項３２に記載の骨折の内部固定のための装置。
【請求項３４】
前記ロッドの前記縦軸線に対して約８５度から９５度に配向されて該縦軸線回りに互いから角度的にオフセットされた軸線を有する、前記ステムに位置した少なくとも２つの遠位孔、
を更に含むことを特徴とする請求項３３に記載の骨折の内部固定のための装置。